(57)【要約】【課題】  接続したカーテンレールにおいて、カーテンの開閉時に引っ掛かりの原因となる接続金具の段差を解消するカーテンレールの段差解消方法を提供する。【解決手段】  カーテンレール１の接続部付近の外側に接着テープ４を所定の長さに貼り付ける接着テープ貼付工程と、前記カーテンレール１に貼りつけた接着テープ４を長手方向にカーテンレール１の中央位置をカッター５で切断する接着テープ切断工程と、前記切断した接着テープ４を折込治具６でカーテンレール１の内側に折り込んで貼り付ける接着テープ折込貼付工程と、を備えた構成である。【選択図】      図１
2006288521.tif 000002
【特許請求の範囲】
【請求項１】
一定の長さのカーテンレールを２個連接するに際して接続部材を使用して連結し、窓枠などのブラケットに長めのカーテンレールを設置する連結カーテンレールの継ぎ目の段差解消方法において、
連接するカーテンレールの接続部付近の下側外面に、ランナー通路のスリットを塞ぐように接着テープを所定の長さに貼り付ける接着テープ貼付工程と、
前記カーテンレールに貼りつけた接着テープの長手方向に沿ってこの接着テープ幅の中央位置をカッターで切断する接着テープ切断工程と、
前記切断した接着テープの切断部から折込治具をカーテンレールのスリット内に挿入し、この折込金具を摺動してこの接着テープの切断部をカーテンレールの内側に折り込んで貼り付ける折込貼付工程と、を備えたことを特徴とするカーテンレールの段差解消方法。
【請求項２】
前記カッターが、カーテンレールの幅より若干大きい幅でコ字状に折り曲げられ、カーテンレール下面に嵌合するガイド板の中央部に配置して切断刃が植設または着脱自在になっていることを特徴とする請求項１に記載のカーテンレールの段差解消方法。
【請求項３】
前記折込治具は、弾性材料より形成され、指先で把持可能な把持部と、前記把持部の上に突出形成され、前記カーテンレールのスリット面に摺接する首部を備える折込部とからなり、
前記把持部の幅は略カーテンレールの幅に形成され、厚さは前記カーテンレールのスリット幅より若干厚く形成され、前記首部の幅は前記カーテンレールのスリットの幅より若干狭く形成され、厚さは前記把持部の厚さより若干狭く形成され、高さは前記カーテンレールのスリット部分の板厚と同一に形成され、前記折込部の幅は前記首部の幅より広くしかも前記把持部の幅より狭く形成され、前記首部の厚さと同一の厚さに形成されている折込治具であることを特徴とする請求項１に記載のカーテンレールの段差解消方法。
【発明の詳細な説明】
【技術分野】
【０００１】
本発明は、複数のカーテンレールをつなぎ合わせて使用するときのこのカーテンレールの継ぎ目の段差を解消するカーテンレールの段差解消方法に関する。
【背景技術】
【０００２】
一般にカーテンレールは所定の長さで販売されており、このカーテンレールを家庭内で窓などに取り付ける際には、カーテンレールの長さと窓の巾が必ずしも一致せず、長さを調整するために２個のカーテンレールを接続する必要があった。ところが、この接続部分には段差が発生するので、カーテンの開閉時に引っ掛かりとなるので、この段差を解消する必要があり、特開平１０−１１７９２０号公報（特許文献１）に示すような段差の解消方法があった。
【０００３】
しかしながら、上述した特開平１０−１１７９２０号公報に示すカーテンレールは、ローラーを使用するカーテンレールには有効であるが、近年、病院などにおいては、ローラーを使用するカーテンは開閉時にローラーの音がうるさいことから、ローラーが使用できず、図１０に示すようなスライド式のランナー３を使用したカーテンが採用されていた。そして、このカーテンレール１とカーテンレール１の接続には図に示すような接続金具２が使用されていた。
【特許文献１】特開平１０−１１７９２０号公報
【発明の開示】
【発明が解決しようとする課題】
【０００４】
しかしながら、上述した従来のスライド式のランナー３を使用したカーテンレール１においては、この接続金具２を使用した場合に、図１１に示すように、カーテンレール１のランナー３の摺動面に接続金具２による板厚分の段差が発生し、ランナー３がカーテンの開閉時に引っ掛かりが発生し、動作が悪いという問題があった。
【０００５】
本発明は、上述した従来の問題に鑑みなされたもので、接続したカーテンレールにおいて、カーテンの開閉時に引っ掛かりの原因となる接続金具の段差を解消するカーテンレールの段差解消方法を提供するものである。
【課題を解決するための手段】
【０００６】
本発明は、上記課題を解決するため、一定の長さのカーテンレールを２個連接するに際して接続部材を使用して連結し、窓枠などのブラケットに長めのカーテンレールを設置する連結カーテンレールの継ぎ目の段差解消方法において、連接するカーテンレールの接続部付近の下側外面に、ランナー通路のスリットを塞ぐように接着テープを所定の長さに貼り付ける接着テープ貼付工程と、前記カーテンレールに貼りつけた接着テープの長手方向に沿ってこの接着テープ幅の中央位置をカッターで切断する接着テープ切断工程と、前記切断した接着テープの切断部から折込治具をカーテンレールのスリット内に挿入し、この折込金具を摺動してこの接着テープの切断部をカーテンレールの内側に折り込んで貼り付ける折込貼付工程と、を備えたカーテンレールの段差解消方法の構成である。
【０００７】
また、本発明のカーテンレールの段差解消方法におけるカッターは、前記カッターが、カーテンレールの幅より若干大きい幅でコ字状に折り曲げられ、カーテンレール下面に嵌合するガイド板の中央部に配置して切断刃が植設または着脱自在になっている構成である。
【０００８】
また、本発明のカーテンレールの段差解消方法における折込治具は、前記折込治具は、弾性材料より形成され、指先で把持可能な把持部と、前記把持部の上に突出形成され、前記カーテンレールのスリット面に摺接する首部を備える折込部とからなり、前記把持部の幅は略カーテンレールの幅に形成され、厚さは前記カーテンレールのスリット幅より若干厚く形成され、前記首部の幅は前記カーテンレールのスリットの幅より若干狭く形成され、厚さは前記把持部の厚さより若干狭く形成され、高さは前記カーテンレールのスリット部分の板厚と同一に形成され、前記折込部の幅は前記首部の幅より広くしかも前記把持部の幅より狭く形成され、前記首部の厚さと同一の厚さに形成されている折込治具である構成によって前記課題は達成できる。
【０００９】
さらに、本発明のカーテンレールの段差解消方法において、前記折込治具の把持部の前後の指当面には、円形の凹部が形成されていることを特徴とするものである。
【発明の効果】
【００１０】
本発明によれば、カーテンレールの接続金具による段差部分の上に接着テープが簡単に貼ることができ、この接着テープにより段差がなだらかになり、この上を移動するスライドタイプのランナーは、この接続金具に引っ掛からずスムーズに移動できるようになる。騒音を防止することができる。
【発明を実施するための最良の形態】
【００１１】
本発明に係るカーテンレールの段差解消方法の最良の形態について図面を参照して説明する。
図１は本発明のカーテンレールの段差解消方法を説明する工程図、図２は図１のカーテンレールの段差解消方法における接着テープ貼付工程を示す斜視図、図３は図１のカーテンレールの段差解消方法における接着テープ切断工程を示す斜視図、図４は図１のカーテンレールの段差解消方法に使用するカッターを示す斜視図、図５は図１のカーテンレールの段差解消方法に使用する折込治具を示す斜視図、図６乃至図８は接着テープ折込工程における折込作業を示す側面図、図９は図１のカーテンレールの段差解消方法の効果を説明する断面図である。
尚、従来技術と同一部材には同一符号を付して詳細な説明を省略する。
【００１２】
本発明に係るカーテンレールの段差解消方法は、図１に示すように、２個のカーテンレール１,１を繋ぎ合わせるに際して接続するカーテンレールの末端に通常の接続金具２を挿入し、他方のカーテンレールの端部を接続金具２に嵌合して両カーテンレールを繋ぎ合わせ、この接続部付近のランナー通路のスリット下側外面に接着テープを所定の長さに貼りつける接着テープ貼付工程と、前記カーテンレールに貼りつけた接着テープを長手方向にカーテンレールのランナー通路のスリットの中央位置をカッターで切断する接着テープ切断工程と、前記切断した接着テープを折込治具でカーテンレールの内側に折り込んで接続金具の上に貼り付ける接着テープ折込工程とを備えたものである。
【００１３】
また、本発明のカーテンレールの段差解消方法は、図２に示すように、カーテンレール１とカーテンレール１の接続には、従来と同様に接続金具２を使用するものである。この接続金具２は略コ字状に形成され、カーテンレールの内側に嵌合する寸法に形成されたものである。
【００１４】
先ず、最初の工程である接着テープ貼付工程は、図２に示すように、カーテンレール１とカーテンレール１の接続付近の下側外面に所定長さの接着テープ４を貼りつけるものである。接着テープ４の長さは接続金具２より２０ｍｍ程度長くするのが好適である。これに使用する接着テープ４はポリエステル系、ポリエチレン系、ポリプロピレン系の片面接着テープであり、接着面と反対面はカーテンのランナーが滑り易い滑面を備えたものである。
【００１５】
次いで、接着テープ切断工程は、図３に示すように、カーテンレール１の接着テープ４を貼りつけた上からカッター５を当て、カーテンレール１のランナー通路であるスリット１ａの中央部を切断するものである。この接着テープ４の切断に使用するカッター５は、図３に示すように、カーテンレール１の幅より若干（１ｍｍ程度）広い幅でコ字状に折り曲げられたガイド板５ａの中央部に、略三角形の切断刃５ｂが植設されたものである。この切断刃５b は交換可能なような差込みタイプでも良い。
【００１６】
次いで、接着テープ折込工程は、図５に示すような折込治具６を使用する。この折込治具６は、天然ゴムやシリコンゴムなどのような弾性材料より形成されていると好ましい。図面の実施形態では変形六角形に形成された把持部６ａと、この把持部６ａの上に形成された首部６ｂと、この首部６ｂの上に形成された略台形の折込部６ｃと、を有している。この把持部６ａの幅は略カーテンレー１の幅に形成され、厚さは前記カーテンレー1のスリット１ａの幅より若干（２ｍｍ程度）広く形成されている。
【００１７】
また、首部６ｂの幅と厚さは、前記カーテンレール１のスリット１ａの幅より若干（１ｍｍ程度）狭く形成され、高さはカーテンレール１のスリット１ａ部分の板厚と同一に形成されたものである。さらに、折込部６ｃの幅はカーテンレール１のスリット１ａの幅より広く、しかも前記把持部６ａの幅より狭く形成され、厚さは、前記首部６ｂの厚さと同一の厚さに形成されたものである。
【００１８】
この接着テープ折込工程では、先ず、この折込治具６の把持部６ａを指で持ち、図６に示すように、カーテンレール１のスリット１ａの位置に折込部６ｃを合わせて切断した接着テープ４の上からスリット１ａに押し込む。すると、接着テープ４も下方に直角に折り込まれる。
【００１９】
次いで、折込治具６を一杯押し込むと、折込治具６の首部６ｂの位置がカーテンレール１のスリットの位置と同じ位置になるので、この位置で折込治具を９０°回転させると、折込治具６とカーテンレール１は図７に示すような位置関係になり、接着テープ４は折込部６ｃにより接続金具２の上に押しつけられるので、接続金具２の上に貼られることになる。
【００２０】
この状態で、図８に示すように、指で把持部６ａを持ち、折込治具６をスリッ１ａトに沿って移動させると、図８に示すように、接着テープ４は折込部６ｃによって、スリッ１ａに沿って連続的に折り込まれ、接続金具２の上に貼られるようになる。
【００２１】
このようにして、接続金具２の上に固着された接着テープ４は、図９に示すように、カーテンレール１の摺動面に接続金具２によってできた段差を解消するので、カーテンのランナーが移動時に引っ掛かることがなくなり、カーテンの開閉がスムーズにできるようになる。
【００２２】
尚、本発明のカーテンレールの段差解消方法は、上述した実施の形態に限定されるものではなく、特許請求の範囲内において様々な態様が可能なことは勿論である。
例えば、折込治具の把持部の形状は変形六角形に限定されるものではなく、三角形、四角形、五角形などの多角形が使用できることは勿論である。
【図面の簡単な説明】
【００２３】
【図１】本発明のカーテンレールの段差解消方法を説明する工程図である。
【図２】図１のカーテンレールの段差解消方法における接着テープ貼付工程を示す斜視図である。
【図３】図１のカーテンレールの段差解消方法における接着テープ切断工程を示す斜視図である。
【図４】図１のカーテンレールの段差解消方法に使用するカッターを示す斜視図である。
【図５】図１のカーテンレールの段差解消方法に使用する折込治具を示す斜視図である。
【図６】図１のカーテンレールの段差解消方法における接着テープ折込工程の折込作業を示す側面図である。
【図７】図１のカーテンレールの段差解消方法における接着テープ折込工程の折込作業を示す側面図である。
【図８】図１のカーテンレールの段差解消方法における接着テープ折込工程の折込作業を示す側面図である。
【図９】本発明のカーテンレールの段差解消方法の効果を説明する断面図である。
【図１０】従来のカーテンレールの接続を示す斜視図である。
【図１１】従来のカーテンレールにおける段差の発生を示す断面図である。
【符号の説明】
【００２４】
１      カーテンレール
１ａ    スリット
２      接続金具
３      ランナー
４      接着テープ
５      カッター
５ａ    ガイド板
５ｂ    切断刃
６      折込治具
６ａ    把持部
６ｂ    首部
６ｃ    折込部
【図１】
2006288521.tif 000003
【図２】
2006288521.tif 000004
【図３】
2006288521.tif 000005
【図４】
2006288521.tif 000006
【図５】
2006288521.tif 000007
【図６】
2006288521.tif 000008
【図７】
2006288521.tif 000009
【図８】
2006288521.tif 000010
【図９】
2006288521.tif 000011
【図１０】
2006288521.tif 000012
【図１１】
2006288521.tif 000013